(57)【特許請求の範囲】
【請求項１】
前方斜め下向きに張出する庇部と、該庇部の基端から立ち上がる前立て部と、該前立て部の左右両端から後方へ延出する締着バンド部とからなるプラスチック製のサンバイザーであって、
前立て部の全体と庇部の周辺部が第一成形体にて構成されると共に、庇部の周辺部を除く主要領域が第一成形体とは異なる色合いで半透明ないし不透明な第二成形体にて構成され、
庇部の前記主要領域に、複数の横長スリット状の開口部が左右複数列で各列上下複数段に配置すると共に、各開口部の上方及び左右両側部を覆うカバー部が一体形成されていることを特徴とするサンバイザー。
【発明の詳細な説明】
【技術分野】
【０００１】
本発明は、屋外での歩行やランニング、自転車走行、ゴルフ、スポーツ観戦、各種の屋外作業等において、日除けとして頭部に着用するサンバイザーに関する。
【背景技術】
【０００２】
この種のサンバイザーは、前方斜め下向きに張出する日除け用の庇部と、頭部留付け用の締着バンド部とを備えているが、更に庇部の基端から立ち上がる前立て部を有する形態も一般的であり、材質的にはプラスチック製のものと布製のものとに大別される。そして、プラスチック製のサンバイザーでは、庇部が着色透明や半透明であるものが多く、透明でＵＶ（紫外線）カット仕様になっているものもある（非特許文献１）。
【先行技術文献】
【非特許文献】
【０００３】
【非特許文献１】インターネット：Google検索(http://www.google.co.jp/search?.q=)によるサンバイザー＋プラスチックの画像検索結果（2015/5/28)
【発明の概要】
【発明が解決しようとする課題】
【０００４】
しかしながら、サンバイザーの庇部は、その日除け機能のために通常の帽子の庇に比べて長大で、且つ前方斜め下向きに張出していることから、着用者が前を向いた状態では目位置より上方の視野を遮る形になる。従って、従来のサンバイザーでは、自転車走行、歩行、ランニング等で着用していると、高所にある交通信号を見落とし易く、プラスチック製で着色透明や半透明の庇部を通して該交通信号が見えても、不明瞭で認識しにくい上に信号色も判別しにくいことから、交通事故の要因になるという問題があった。また、野球観戦等で着用している場合でも、飛来するボールが庇部で見えず、頭部等に当たって怪我をする危険性があった。
【０００５】
本発明は、上述の事情に鑑みて、プラスチック製のサンバイザーとして、簡単な形状的特徴により、着用者が前を向いた状態のままでも目位置より上方の視野が確保され、もって安全性に優れる上、本来の日除け機能や顔面への雨避け機能を充分に発揮できるものを提供することを目的としている。
【課題を解決するための手段】
【０００６】
上記目的を達成するための手段を図面の参照符号を付して示せば、本発明は、前方斜め下向きに張出する庇部１と、庇部１の基端から立ち上がる前立て部２と、前立て部２の左右両端から後方へ延出する締着バンド部３Ａ，３Ｂとからなるプラスチック製のサンバイザーであって、前立て部２の全体と庇部１の周辺部１１が第一成形体Ｍ１にて構成されると共に、庇部１の周辺部１１を除く主要領域１０が第一成形体Ｍ１とは異なる色合いで半透明ないし不透明な第二成形体Ｍ２にて構成され、庇部１の主要領域１０に、複数の横長スリット状の開口部４が左右複数列で各列上下複数段に配置すると共に、各開口部４の上方及び左右両側部を覆うカバー部５が一体形成されていることを特徴としている。
【発明の効果】
【０００９】
次に、本発明の効果について図面の参照符号を付して説明する。この発明に係るサンバイザーでは、庇部１に複数の横長スリット状の開口部４が左右複数列で各列上下複数段に配置しており、頭部に着用して普通に前を向いた状態で、これら開口部４によって目位置より上方の視野が確保されるから、着用時の高い安全性が得られる。加えて、このサンバイザーは、庇部１の各開口部４の上方及び左右両側がカバー部５によって覆われているため、上方からの直射日光が開口部４より内側へ入射することがなく、本来の日除け機能を充分に発揮すると共に、降雨時にも雨滴が開口部４に入り込まず、庇部１上に落下した雨滴は傾斜した表面を流下して該庇部１の前縁から滴下することになり、良好な雨避け機能が得られる。また、開口部４が左右複数列に分画されているから、該開口部が左右に長く連続する構造に比較し、庇部４全体が高強度になるという利点もある。更に、庇部１の開口部４及びカバー部５が縦横に配列した中央側の主要領域１０が異色の周辺部１１によって囲まれた形になるから、外観体裁がよく、高い意匠的効果が得られる。
【図面の簡単な説明】
【００１２】
【図１】本発明の一実施形態に係るサンバイザーを斜め前方上側から見た斜視図である。
【図２】同サンバイザーを側方から見た斜視図である。
【図３】（ａ）は同サンバイザーの要部の縦断側面図、（ｂ）は（ａ）の仮想線円Ｃ内の拡大図である。
【図４】同サンバイザーの後部側の横断平面図である。
【図５】同サンバイザーの着用状態を示す一部切欠側面図である。
【発明を実施するための形態】
【００１３】
以下に、本発明の一実施形態に係るサンバイザーについて、図面を参照して具体的に説明する。
【００１４】
このサンバイザーは、図１及び図２に示すように、前方斜め下向きに張出する庇部１と、該庇部１の基端から立ち上がる前立て部２と、該前立て部２の左右両端から後方へ延出する一対の締着バンド部３Ａ，３Ｂとからなり、全体が後述する四つの成形体を結合一体化したプラスチック製になっている。そして、庇部１には、複数（図示では１２個）の横長スリット状の開口部４が左右複数列（図示は４列）で各列上下複数段（図示は３段）に配置すると共に、各開口部４の上方及び左右両側部を覆うカバー部５を有している。また、庇部１の左右両側には切取り用の溝部６が形成されており、着用者が耳障りを嫌う場合等、必要に応じて溝部６から下方側を切除できるようにしている。一方、前立て部２の前面には、印刷又はラベル貼着によって商品名や標章等を表示できるように、横長で広く浅い凹部２０が形成されている。
【００１５】
このサンバイザーを形作る四つの成形体は、前立て部２の全体と庇部１の周辺部１１を構成する第一成形体Ｍ１、庇部１の周辺部１１を除く主要領域１０を構成する第二成形体Ｍ２、右側の締着バンド部３Ａを形成する第三成形体Ｍ３、左側の締着バンド部３Ｂを形成する第四成形体Ｍ４よりなる。そして、第二〜第四成形体Ｍ２〜Ｍ４は熱可塑性樹脂の射出成形等によって各々独立に作製した半硬質成形物からなるが、同様の半硬質成形物からなる第一成形体Ｍ１は第二成形体Ｍ２をインサート材としたインサート成形によって該第二成形体Ｍ２に一体化した形で作製されている。また、第一成形体Ｍ１は例えば不透明な白色であるのに対し、第二成形体Ｍ２は半透明ないし不透明で第一成形体Ｍ１とは異なる色合い、例えば黒色あるいは緑、黄、赤等の有彩色に設定されている。これにより、庇部１における開口部４及びカバー部５が縦横に配列した中央側の主要領域１０は、異色の周辺部１１によって囲まれた形になっている。なお、締着バンド部３Ａ，３Ｂを構成する第三及び第四成形体Ｍ３，Ｍ４は、デザイン面より第二成形体Ｍ２と同じ色合いになっている。
【００１６】
図３に示すように、第一成形体Ｍ１と第二成形体Ｍ２は、第一成形体Ｍ１における庇部１の周辺部１１内周に設けた溝部１１ａに、第二成形体Ｍ２の周縁部１０ａが嵌入すると共に、該周縁部１０ａの表裏両面に設けた多数の突起部１０ｂが第一成形体Ｍ１の溝部１１ａの両側壁部１１ｂ，１１ｂを貫いた形で一体化している。そして、庇部１の周辺部１１の表裏に露呈した第二成形体Ｍ２の多数の突起部１０ｂの先端は、第一成形体Ｍ１とは異なる色合いで縫い目状の模様Ｐを形成している。
【００１７】
なお、庇部１の中央の上下位置には第二成形体Ｍ２をインサート材として金型に固定する際の取付孔（図示省略）を有するが、図１に示すように、上側の取付孔は外面側へのラベル７の貼着により、下側の取付孔は栓体８の嵌着により、それぞれ塞ぐと共に、これらラベル７及び栓体８によって意匠効果を付与している。
【００１８】
左右一対の締着バンド部３Ａ，３Ｂは、図４に示すように、左側の締着バンド部３Ａの先端側外面に一定間隔置きに突設した複数の係止突起３１と、右側の締着バンド部３Ａの先端側一定間隔置きに設けた複数の係止孔３２とが係脱可能に設定されており、その係合位置の選択によって連結長さを調整できる。また、両締着バンド部３Ａ，３Ｂは、各々基端側に設けた各上下一対の連結用突起３３，３３及び連結用孔３４，３４と、前立て部２の左右両端部に設けた各上下一対の連結用突起２１，２１及び連結用孔２２，２２との相互圧嵌により、該前立て部２に連結一体化されている。
【００１９】
上記構成のサンバイザーでは、図５に示すように、頭部に着用して普通に前を向いた状態において、庇部１に複数の横長スリット状の開口部４が左右複数列で各列上下複数段に配置しており、これら開口部４によって目位置より上方の視野が確保され、もって着用時の高い安全性が得られる。例えば、自転車走行、歩行、ランニング等で着用している場合に、特に顔を上向きにして見上げなくとも、高所に位置する交通信号等が開口部４を通して直接に視認されるため、見落としによる不測の事故を防止でき、また野球観戦等でも飛来するボールが開口部４を通して見えるので避け易く、不用意に身体に当たって怪我するのを回避できる。
【００２０】
しかも、このサンバイザーでは、庇部１の各開口部４の上方及び左右両側がカバー部５によって覆われているため、上方からの直射日光が開口部４より内側へ入射することがなく、本来の日除け機能を充分に発揮すると共に、降雨時にも庇部１上に落下した雨滴が開口部４に入り込まず、該雨滴は開口部４の左右の列間を通る形で傾斜した表面を流下して該庇部１の前縁より滴下するから、良好な雨避け機能が得られる。
【００２１】
また、このサンバイザーでは、開口部４が左右複数列に分画し、左右に隣接する開口部４，４間で庇部１が上下に繋がっているから、該開口部４が左右に長く連続した構造に比較し、庇部１が格段に高強度になる。
【００２２】
一方、実施形態のサンバイザーのように、前立て部２の全体と庇部１の周辺部１１を第一成形体Ｍ１にて構成し、庇部１の主要領域１０を第一成形体Ｍ１とは異なる色合いで半透明ないし不透明な第二成形体Ｍ２にて構成すれば、庇部１の開口部４及びカバー部５を有する中央側の主要領域１０が異色の周辺部１１によって囲まれた形になって外観体裁がよく、高い意匠的効果が得られる。また、実施形態のサンバイザーでは、第二成形体Ｍ２をインサート材とする第一成形体Ｍ１のインサート成形として、第一成形体Ｍ１における庇部１の周辺部１１内周の溝部１１ａに、第二成形体Ｍ２の周縁部１０ａが嵌入して、且つ該周縁部１０ａの表裏両面の多数の突起部１０ｂが溝部１１ａの両側壁を貫くようにしているから、両成形体Ｍ１，Ｍ２が容易に且つ強固に一体化する上、多数の突起部１０ｂが庇部１の周辺部１１の表裏に露呈して外観的に縫い目状の模様Ｐを形成することで、より高い意匠的効果が得られる。
【００２３】
なお、左右一対の締着バンド部３Ａ，３Ｂは、実施形態では独立した第三及び第四成形体Ｍ３，Ｍ４にて構成しているが、前立て部２の第一成形体Ｍ１に一体化してもよい。その他、本発明のサンバイザーでは、庇部１における開口部４の左右配列数及び上下段数、前立て部２の形状、該前立て部２に対する締着バンド部３Ａ，３Ｂの連結構造、両締着バンド部３Ａ，３Ｂ同士の止着方式、庇部１の周辺部１１の周縁形状等、細部構成については実施形態以外に種々設計変更可能である。
【符号の説明】
【００２４】
１          庇部
１０        主要領域
１０ａ      周縁部
１０        突起部
１１        周辺部
１１ａ      溝部
２          前立て部
３Ａ，３Ｂ  締着バンド部３Ａ，３Ｂ
４          開口部
５          カバー部
Ｍ１        第一成形体
Ｍ２        第二成形体
Ｐ          縫い目状の模様
【要約】
【課題】プラスチック製のサンバイザーとして、簡単な形状的特徴により、着用者が前を向いた状態のままでも目位置より上方の視野が確保され、安全性に優れ、本来の日除け機能や顔面への雨避け機能を充分に発揮できるものを提供する。
【解決手段】前方斜め下向きに張出する庇部１と、庇部１の基端から立ち上がる前立て部２と、前立て部２の左右両端から後方へ延出する締着バンド部３Ａ，３Ｂとからなり、庇部１に、複数の横長スリット状の開口部４が左右複数列で各列上下複数段に配置し、各開口部４の上方及び左右両側部を覆うカバー部５が一体形成されている。
【選択図】図１【図１】
0006035376.tif 000002
【図２】
0006035376.tif 000003
【図３】
0006035376.tif 000004
【図４】
0006035376.tif 000005
【図５】
0006035376.tif 000006